(57)【要約】【解決手段】化粧板は、基板１の表面１ａ上に樹脂塗料を塗布してなる下地層２と、その下地層２上にインクジェットプリンターによりインク用塗料を印刷してなる絵柄層３と、その絵柄層３上及び下地層２上に対しその絵柄層３を視認し得る樹脂塗料を塗布してなる保護層４とを積層した化粧層５を備えている。【効果】基板１上に材質等を原因とする凹凸があっても、基板１に対し密着性の高い化粧層５を設けて化粧層５の剥離を規制することができる。【選択図】図４
0003123108.tif 000002
【実用新案登録請求の範囲】
【請求項１】
基板上に樹脂塗料を塗布してなる下地層と、その下地層上にインクジェットプリンターによりインク用樹脂を印刷してなる絵柄層とを積層した化粧層を備えたことを特徴とする化粧板。
【請求項２】
基板上に樹脂塗料を塗布してなる下地層と、その下地層上にインクジェットプリンターによりインク用樹脂を印刷してなる絵柄層と、その絵柄層上及び下地層上に対しその絵柄層を視認し得る樹脂塗料を塗布してなる保護層とを積層した化粧層を備えたことを特徴とする化粧板。
【請求項３】
前記基板の厚み方向の表裏両面のうち表面側にのみ前記化粧層を設けたことを特徴とする請求項１または請求項２に記載の化粧板。
【考案の詳細な説明】
【技術分野】
【０００１】
本考案は、建材などに利用される化粧板に関するものである。
【背景技術】
【０００２】
例えば、基板上に化粧紙を貼り付けてなる化粧板が知られている。
【考案の開示】
【考案が解決しようとする課題】
【０００３】
建材などの基板は表面粗さの荒い材質であるために凹凸を有している場合がある。そのような基板に化粧紙を貼り付けた化粧板では、基板に対する化粧紙の密着性が低いため、化粧紙が基板から剥離し易い。
【０００４】
この考案は、基板上に材質等を原因とする凹凸があっても、基板に対し密着性の高い化粧層を設けて化粧層の剥離を規制することを目的としている。
【課題を解決するための手段】
【０００５】
後記実施形態の図面（図１〜４に示す第一実施形態、図５〜８に示す第二実施形態）の符号を援用して本考案にかかる化粧板を説明する。
請求項１の考案にかかる化粧板は、基板１上に樹脂塗料を塗布してなる下地層２と、その下地層２上にインクジェットプリンターによりインク用樹脂を印刷してなる絵柄層３とを積層した化粧層５を備えている。
【０００６】
請求項１の考案では、基板１上に材質等を原因とする凹凸があっても下地層２により基板１を滑らかにするとともに、インクジェットプリンターを採用したので、基板１上に下地層２を介して印刷した絵柄層３の密着性を高め、絵柄層３の剥離を規制することができる。
【０００７】
請求項２の考案にかかる化粧板は、基板１上に樹脂塗料を塗布してなる下地層２と、その下地層２上にインクジェットプリンターによりインク用樹脂を印刷してなる絵柄層３と、その絵柄層３上及び下地層２上に対しその絵柄層３を視認し得る樹脂塗料を塗布してなる保護層４とを積層した化粧層５を備えている。
【０００８】
請求項２の考案では、請求項１の考案の効果に加えて、保護層４により絵柄層３の剥離をより一層規制することができる。
請求項１または請求項２の考案を前提とする請求項３の考案においては、前記基板１の厚み方向Ｘの表裏両面１ａ，１ｂのうち表面１ａ側にのみ前記化粧層５を設けた。請求項３の考案では、化粧板を建材として利用する際に壁側に面して貼られる基板１の裏面１ｂ側で化粧層５を省略して化粧板のコストを低減することができる。
【考案の効果】
【０００９】
本考案は、基板１上に材質等を原因とする凹凸があっても、基板１に対し密着性の高い化粧層５を設けて化粧層５の剥離を規制することができる。
【考案を実施するための最良の形態】
【００１０】
以下、本考案の第一実施形態にかかる化粧板について図１〜４を参照して説明する。
図１に示す基板１は厚み方向Ｘの表裏両面１ａ，１ｂを有している。その基板１の材質としては、特に限定されるものではなく、例えば、各種木質材料の板材ばかりではなく、コンクリート板やガラス板などであってもよい。
【００１１】
図２に示すように、前記基板１の表面１ａ上に樹脂塗料を例えばフローコータにより塗布すると、その表面１ａ上に下地層２が積層される。この下地層２における樹脂塗料としては、特に制限がなく、基板１に対し密着性の良いものを既存のものから選択する。この基板１が表面粗さの荒い材質であるために凹凸を有している場合には、この下地層２によりその凹凸を埋めて滑らかにすることができる。
【００１２】
図３に示すように、前記下地層２上にインク用樹脂をインクジェットプリンターにより印刷して絵柄を設けると、その下地層２上に絵柄層３が積層され、その絵柄層３がない部分で下地層２が露出する。この絵柄層３におけるインク用樹脂や前記下地層２における樹脂塗料としては、特に制限がなく、互いに密着性の良いものを既存のものから選択する。インクジェットプリンターの採用により、下地層２に対する絵柄層３の密着性が高まる。
【００１３】
図４に示すように、前記絵柄層３上とその周辺で露出する下地層２上に透明な樹脂塗料を例えばフローコータにより塗布すると、保護層４が積層される。この保護層４における樹脂塗料としては、特に制限がなく、絵柄層３や下地層２に対し密着性の良いものを既存のものから選択する。その保護層４は透明であるため、保護層４を通して絵柄層３を視認し得る。この保護層４により絵柄層３の剥離を規制することができる。
【００１４】
第一実施形態にかかる化粧板については、このようにして基板１の表面１ａ側に下地層２と絵柄層３と保護層４とを積層した化粧層５が設けられているが、図３に示すように下地層２と絵柄層３とを積層した化粧層５としてもよい。
【００１５】
図５〜８に示す第二実施形態にかかる化粧板については、基板１の裏面１ｂ側にも基板１の表面１ａ側と同様な化粧層５が設けられている。
【図面の簡単な説明】
【００１６】
【図１】（ａ）は第一実施形態において基板を示す平面図であり、（ｂ）は（ａ）の部分拡大断面図である。
【図２】（ａ）は第一実施形態において基板上に塗布した下地層を示す平面図であり、（ｂ）は（ａ）の部分拡大断面図である。
【図３】（ａ）は第一実施形態においてその下地層上に印刷した絵柄層を示す平面図であり、（ｂ）は（ａ）の部分拡大断面図である。
【図４】（ａ）は第一実施形態においてその絵柄層上及び下地層上に塗布した保護層を示す平面図であり、（ｂ）は（ａ）の部分拡大断面図である。
【図５】（ａ）は第二実施形態において基板を示す平面図であり、（ｂ）は（ａ）の部分拡大断面図である。
【図６】（ａ）は第二実施形態において基板上に塗布した下地層を示す平面図であり、（ｂ）は（ａ）の部分拡大断面図である。
【図７】（ａ）は第二実施形態においてその下地層上に印刷した絵柄層を示す平面図であり、（ｂ）は（ａ）の部分拡大断面図である。
【図８】（ａ）は第二実施形態においてその絵柄層上及び下地層上に塗布した保護層を示す平面図であり、（ｂ）は（ａ）の部分拡大断面図である。
【符号の説明】
【００１７】
１…基板、１ａ…表面、１ｂ…裏面、２…下地層、３…絵柄層、４…保護層、５…化粧層、Ｘ…厚み方向。
【図１】
0003123108.tif 000003
【図２】
0003123108.tif 000004
【図３】
0003123108.tif 000005
【図４】
0003123108.tif 000006
【図５】
0003123108.tif 000007
【図６】
0003123108.tif 000008
【図７】
0003123108.tif 000009
【図８】
0003123108.tif 000010